(57)【特許請求の範囲】
【請求項１】
中央ロッドアセンブリと、
動作位置と傾いた位置との間で、前記中央ロッドアセンブリ上で枢動的に支持されるヘッドアセンブリと
を備えているアンビルアセンブリであって、前記ヘッドアセンブリは、
ハウジングと、
前記ハウジングから近位方向に延在し、かつ、近位環状グルーブを規定するポストと、
前記ポスト周りで動作可能に支持されるバックアップ部材であって、前記バックアップ部材は、前記バックアップ部材の一部が前記動作位置から前記傾いた位置への前記ヘッドアセンブリの枢動的移動を妨げるように位置付けられる第１の位置から、前記バックアップ部材が前記動作位置から傾いた位置への前記ヘッドアセンブリの枢動的移動を可能にするように位置付けられる第２の位置へ移動可能であり、前記バックアップ部材は、前記バックアップ部材を前記第１の位置に維持するように前記ポストの前記近位環状グルーブ内に受け取り可能な第１の係止特徴部および第２の係止特徴部を含む、バックアップ部材と
を含む、アンビルアセンブリ。
【請求項２】
前記ポストは、遠位環状グルーブをさらに規定し、前記第１の係止特徴部および前記第２の係止特徴部は、前記遠位環状グルーブ内に受け取られ、それにより、前記バックアップ部材を前記第２の位置に維持する、請求項１に記載のアンビルアセンブリ。
【請求項３】
前記中央ロッドアセンブリは、少なくとも１つのタブを有する中央ロッドを含み、前記少なくとも１つのタブは、前記バックアップ部材が前記第１の位置にあるとき、前記バックアップ部材に係合し、それにより、前記ヘッドアセンブリを前記動作位置に維持する、請求項１に記載のアンビルアセンブリ。
【請求項４】
前記第１の位置から前記第２の位置への前記バックアップ部材の移動は、前記バックアップ部材を前記少なくとも１つのタブから離し、それにより、前記ヘッドアセンブリが前記傾いた位置へ移動することを可能にする、請求項３に記載のアンビルアセンブリ。
【請求項５】
前記第１の係止特徴部および前記第２の係止特徴部は、所定の力が前記バックアップ部材に適用されるまで、前記第１の位置から前記第２の位置への前記バックアップ部材の移動を妨げるように構成されている、請求項１に記載のアンビルアセンブリ。
【請求項６】
前記第１の係止特徴部および前記第２の係止特徴部は、前記所定の力が前記バックアップ部材に適用されると、半径方向外向きに撓むように構成されている、請求項５に記載のアンビルアセンブリ。
【請求項７】
前記第１の係止特徴部および前記第２の係止特徴部の各々は、前記バックアップ部材が前記第１の位置にあるときの前記近位環状グルーブ内での、および、前記バックアップ部材が前記第２の位置にあるときの前記遠位環状グルーブ内での受け取りのために構成されている隆起部を含む、請求項２に記載のアンビルアセンブリ。
【請求項８】
中央ロッドアセンブリと、
動作位置と傾いた位置との間で、前記中央ロッドアセンブリ上で枢動的に支持されるヘッドアセンブリと
を備えているアンビルアセンブリであって、前記ヘッドアセンブリは、
ハウジングと、
前記ハウジングから近位方向に延在するポストと、
前記ポスト周りで動作可能に支持されるバックアップ部材であって、前記バックアップ部材は、前記バックアップ部材の一部が前記動作位置から前記傾いた位置への前記ヘッドアセンブリの枢動的移動を妨げるように位置付けられる第１の位置から、前記バックアップ部材が動作位置から前記傾いた位置への前記ヘッドアセンブリの枢動的移動を可能にするように位置付けられる第２の位置へ移動可能であり、前記バックアップ部材は、前記バックアップ部材を前記第１の位置に維持するように前記ポストの近位表面に係合するように構成されている第１の戻り止めおよび第２の戻り止めを含む、バックアップ部材と
を含む、アンビルアセンブリ。
【請求項９】
前記ポストは、前記バックアップ部材が前記第２の位置にあるとき、前記第１の戻り止めを受け取るための第１の切欠き部と、前記第２の戻り止めを受け取るための第２の切欠き部とを規定する、請求項８に記載のアンビルアセンブリ。
【請求項１０】
前記中央ロッドアセンブリは、少なくとも１つのタブを有する中央ロッドを含み、前記少なくとも１つのタブは、前記バックアップ部材が第１の位置にあるとき、前記バックアップ部材に係合し、それにより、前記ヘッドアセンブリを前記動作位置に維持する、請求項８に記載のアンビルアセンブリ。
【請求項１１】
前記第１の位置から前記第２の位置への前記バックアップ部材の移動は、前記バックアップ部材を前記少なくとも１つのタブから離し、それにより、前記ヘッドアセンブリが前記傾いた位置へ移動することを可能にする、請求項１０に記載のアンビルアセンブリ。
【請求項１２】
前記少なくとも１つのタブは、前記第１の戻り止めおよび前記第２の戻り止めのうちの１つに係合する、請求項１０に記載のアンビルアセンブリ。
【請求項１３】
前記第１の戻り止めおよび前記第２の戻り止めは、所定の力が前記バックアップ部材に適用されるまで、前記第１の位置から前記第２の位置への前記バックアップ部材の移動を妨げるように構成されている、請求項８に記載のアンビルアセンブリ。
【発明の詳細な説明】
【技術分野】
【０００１】
本開示は、概して、円形吻合ステープラと共に使用することに適した傾斜可能ヘッドを有するアンビルアセンブリに関連する。より具体的には、本開示は、改善された保持機構を有する傾斜可能アンビルアセンブリに関連する。
【背景技術】
【０００２】
（関連技術の背景）
傾斜可能アンビルヘッドを有するアンビルアセンブリを含む円形吻合ステープラは、当該技術分野において公知である。そのような円形吻合ステープラおよび傾斜可能アンビルアセンブリの例が、共有の米国特許第７，３６４，０６０号（「‘０６０特許」）に開示されている。傾斜可能アンビルアセンブリの更なる例が、共有の米国特許第８，５４０，１３２号（「‘１３２特許」）に開示されている。‘０６０特許および‘１３２特許の各々の内容は、参照により、それらの全体が本明細書に援用される。‘１３２特許に記載されているアンビルアセンブリは、ステープラの発射前にアンビルアセンブリのアンビルヘッドが傾くことを妨げるように（例えば、近位位置に）位置付けられたアンビルアセンブリ内に位置するバックアップ部材を含む。ステープラの発射時、ステープラのナイフ刃が、バックアップ部材に係合し、バックアップ部材を所定の位置（例えば、遠位位置）に移動させ、これは、ナイフ刃の引き込み時にアンビルヘッドが傾くことを可能にする。バックアップ部材が、ナイフ刃の引き込み時にナイフ刃に刺さり、かつ／または、他の態様では遠位位置に保持されていない場合、バックアップ部材は、近位位置に戻り得、それによって、アンビルアセンブリが傾くことを妨げる。
【０００３】
バックアップ部材が発射前のアンビルヘッドの傾きを妨げる近位位置にバックアップ部材を維持するために、‘１３２特許に記載されているアンビルアセンブリは、バックアップ部材の遠位に位置付けられている保持部材を含む。保持部材は、タブを変形させるのに十分な所定の力がステープル形成中にバックアップ部材に適用されるまで（すなわち、ナイフ刃との係合による）バックアップ部材の遠位移動を妨げる複数の変形可能なタブを含む。残りの近位方向力が、変形可能なタブの変形中に作り出される。バックアップ部材をその元の位置の方へ近位に移動させ得るこの力は、バックアップ部材に作用する。‘１３２特許に記載されているように、アンビルアセンブリの傾き動作は、ステープラの発射後のバックアップ部材の遠位位置付けに依存する。バックアップ部材に作用する任意の近位方向力は、バックアップ部材を元の近位位置に戻させ得、それによって、アンビルアセンブリの傾きを妨げる。
【０００４】
それゆえ、ステープル留めアセンブリの発射前に近位位置にバックアップ部材を保持するための機構または特徴を有するアンビルアセンブリを提供することが有益であり、その機構または特徴は、ステープル留めアセンブリの発射中にバックアップ部材を遠位位置に移動させ、ステープル留めアセンブリの発射後、アンビルアセンブリが傾き得るように遠位位置にバックアップ部材を保持する。
【先行技術文献】
【特許文献】
【０００５】
【特許文献１】米国特許第７，３６４，０６０号明細書
【特許文献２】米国特許第８，５４０，１３２号明細書
【発明の概要】
【課題を解決するための手段】
【０００６】
従って、アンビルアセンブリが提供される。アンビルアセンブリは、中央ロッドアセンブリと、動作位置および傾いた位置の間で中央ロッドアセンブリ上で枢動的に支持されるヘッドアセンブリとを含む。ヘッドアセンブリは、ハウジングと、ハウジングから近位方向に延在しかつ近位環状グルーブを規定するポストと、ポスト周りで動作可能に支持されるバックアップ部材とを含み、バックアップ部材は、バックアップ部材の一部が動作位置から傾いた位置へのヘッドアセンブリの枢動的移動を妨げるように位置付けられる第１の位置から、バックアップ部材が動作位置から傾いた位置へのヘッドアセンブリの枢動的移動を可能にするように位置付けられる第２の位置へ移動可能である。バックアップ部材は、バックアップ部材を第１の位置に維持するようにポストの近位環状グルーブ内に受け取り可能な第１の係止特徴部および第２の係止特徴部を含む。
【０００７】
複数の実施形態において、ポストは、遠位環状グルーブをさらに規定し、第１の係止特徴部および第２の係止特徴部は、遠位環状グルーブ内に受け取られ、それにより、バックアップ部材を第２の位置に維持する。中央ロッドアセンブリは、少なくとも１つのタブを有する中央ロッドを含み得る。少なくとも１つのタブは、バックアップ部材が第１の位置にあるとき、バックアップ部材に係合し、それにより、ヘッドアセンブリを動作位置に維持し得る。第１の位置から第２の位置へのバックアップ部材の移動は、バックアップ部材を少なくとも１つのタブから離し、それにより、ヘッドアセンブリが、傾いた位置へ移動することを可能にし得る。
【０００８】
第１の係止特徴部および第２の係止特徴部は、所定の力がバックアップ部材に適用されるまで、第１の位置から第２の位置へのバックアップ部材の移動を妨げるように構成され得る。第１の係止特徴部および第２の係止特徴部は、所定の力がバックアップ部材に適用されると、半径方向外向きに撓むように構成され得る。第１の係止特徴部および第２の係止特徴部は、各々、バックアップ部材が第１の位置にあるときの近位環状グルーブ内での、および、バックアップ部材が第２の位置にあるときの遠位環状グルーブ内での受け取りのために構成されている隆起部を含み得る。
【０００９】
複数の実施形態において、本開示に従ったアンビルアセンブリは、中央ロッドアセンブリと、動作位置および傾いた位置の間で中央ロッドアセンブリ上で枢動的に支持されるヘッドアセンブリとを含む。ヘッドアセンブリは、ハウジングと、ハウジングから近位方向に延在するポストと、ポスト周りで動作可能に支持されるバックアップ部材とを含み、バックアップ部材は、バックアップ部材の一部が動作位置から傾いた位置へのヘッドアセンブリの枢動的移動を妨げるように位置付けられる第１の位置から、バックアップ部材が動作位置から傾いた位置へのヘッドアセンブリの枢動的移動を可能にするように位置付けられる第２の位置へ移動可能である。バックアップ部材は、バックアップ部材を第１の位置に維持するようにポストの近位表面に係合するように構成されている第１の戻り止めおよび第２の戻り止めを含む。
【００１０】
複数の実施形態において、ポストは、バックアップ部材が第２の位置にあるとき、第１の戻り止めを受け取るための第１の切欠き部と、第２の戻り止めを受け取るための第２の切欠き部とを規定する。中央ロッドアセンブリは、少なくとも１つのタブを有する中央ロッドを含み得、少なくとも１つのタブは、バックアップ部材が第１の位置にあるとき、バックアップ部材に係合し、それにより、ヘッドアセンブリを動作位置に維持する。第１の位置から第２の位置へのバックアップ部材の移動は、バックアップ部材を少なくとも１つのタブから離し、それにより、ヘッドアセンブリが、傾いた位置へ移動することを可能にし得る。少なくとも１つのタブは、第１の戻り止めおよび第２の戻り止めのうちの１つに係合し得る。第１の戻り止めおよび第２の戻り止めは、所定の力がバックアップ部材に適用されるまで、第１の位置から第２の位置へのバックアップ部材の移動を妨げるように構成され得る。
本発明は、例えば、以下を提供する。
（項目１）
中央ロッドアセンブリと、
動作位置と傾いた位置との間で、前記中央ロッドアセンブリ上で枢動的に支持されるヘッドアセンブリと
を備えているアンビルアセンブリであって、前記ヘッドアセンブリは、
ハウジングと、
前記ハウジングから近位方向に延在し、かつ、近位環状グルーブを規定するポストと、
前記ポスト周りで動作可能に支持されるバックアップ部材であって、前記バックアップ部材は、前記バックアップ部材の一部が前記動作位置から前記傾いた位置への前記ヘッドアセンブリの枢動的移動を妨げるように位置付けられる第１の位置から、前記バックアップ部材が前記動作位置から傾いた位置への前記ヘッドアセンブリの枢動的移動を可能にするように位置付けられる第２の位置へ移動可能であり、前記バックアップ部材は、前記バックアップ部材を前記第１の位置に維持するように前記ポストの前記近位環状グルーブ内に受け取り可能な第１の係止特徴部および第２の係止特徴部を含む、バックアップ部材と
を含む、アンビルアセンブリ。
（項目２）
前記ポストは、遠位環状グルーブをさらに規定し、前記第１の係止特徴部および第２の係止特徴部は、前記遠位環状グルーブ内に受け取られ、それにより、前記バックアップ部材を前記第２の位置に維持する、上記項目に記載のアンビルアセンブリ。
（項目３）
前記中央ロッドアセンブリは、少なくとも１つのタブを有する中央ロッドを含み、前記少なくとも１つのタブは、前記バックアップ部材が前記第１の位置にあるとき、前記バックアップ部材に係合し、それにより、前記ヘッドアセンブリを前記動作位置に維持する、上記項目のいずれかに記載のアンビルアセンブリ。
（項目４）
前記第１の位置から前記第２の位置への前記バックアップ部材の移動は、前記バックアップ部材を前記少なくとも１つのタブから離し、それにより、前記ヘッドアセンブリが前記傾いた位置へ移動することを可能にする、上記項目のいずれかに記載のアンビルアセンブリ。
（項目５）
前記第１の係止特徴部および第２の係止特徴部は、所定の力が前記バックアップ部材に適用されるまで、前記第１の位置から前記第２の位置への前記バックアップ部材の移動を妨げるように構成されている、上記項目のいずれかに記載のアンビルアセンブリ。
（項目６）
前記第１の係止特徴部および第２の係止特徴部は、前記所定の力が前記バックアップ部材に適用されると、半径方向外向きに撓むように構成されている、上記項目のいずれかに記載のアンビルアセンブリ。
（項目７）
前記第１の係止特徴部および第２の係止特徴部は、各々、前記バックアップ部材が前記第１の位置にあるときの前記近位環状グルーブ内での、および、前記バックアップ部材が前記第２の位置にあるときの前記遠位環状グルーブ内での受け取りのために構成されている隆起部を含む、上記項目のいずれかに記載のアンビルアセンブリ。
（項目８）
中央ロッドアセンブリと、
動作位置と傾いた位置との間で、前記中央ロッドアセンブリ上で枢動的に支持されるヘッドアセンブリと
を備えているアンビルアセンブリであって、前記ヘッドアセンブリは、
ハウジングと、
前記ハウジングから近位方向に延在するポストと、
前記ポスト周りで動作可能に支持されるバックアップ部材であって、前記バックアップ部材は、前記バックアップ部材の一部が前記動作位置から前記傾いた位置への前記ヘッドアセンブリの枢動的移動を妨げるように位置付けられる第１の位置から、前記バックアップ部材が動作位置から前記傾いた位置への前記ヘッドアセンブリの枢動的移動を可能にするように位置付けられる第２の位置へ移動可能であり、前記バックアップ部材は、前記バックアップ部材を前記第１の位置に維持するように前記ポストの近位表面に係合するように構成されている第１の戻り止めおよび第２の戻り止めを含む、バックアップ部材と
を含む、アンビルアセンブリ。
（項目９）
前記ポストは、前記バックアップ部材が前記第２の位置にあるとき、前記第１の戻り止めを受け取るための第１の切欠き部と、前記第２の戻り止めを受け取るための第２の切欠き部とを規定する、上記項目のいずれかに記載のアンビルアセンブリ。
（項目１０）
前記中央ロッドアセンブリは、少なくとも１つのタブを有する中央ロッドを含み、前記少なくとも１つのタブは、前記バックアップ部材が第１の位置にあるとき、前記バックアップ部材に係合し、それにより、前記ヘッドアセンブリを前記動作位置に維持する、上記項目のいずれかに記載のアンビルアセンブリ。
（項目１１）
前記第１の位置から前記第２の位置への前記バックアップ部材の移動は、前記バックアップ部材を前記少なくとも１つのタブから離し、それにより、前記ヘッドアセンブリが前記傾いた位置へ移動することを可能にする、上記項目のいずれかに記載のアンビルアセンブリ。
（項目１２）
前記少なくとも１つのタブは、前記第１の戻り止めおよび第２の戻り止めのうちの１つに係合する、上記項目のいずれかに記載のアンビルアセンブリ。
（項目１３）
前記第１の戻り止めおよび第２の戻り止めは、所定の力が前記バックアップ部材に適用されるまで、前記第１の位置から前記第２の位置への前記バックアップ部材の移動を妨げるように構成されている、上記項目のいずれかに記載のアンビルアセンブリ。
（摘要）
アンビルアセンブリが提供される。アンビルアセンブリは、中央ロッドアセンブリと、動作位置と傾いた位置との間で中央ロッドアセンブリに対して枢動的なヘッドアセンブリと、ヘッドアセンブリを動作位置に選択的に維持するための機構とを含む。
【図面の簡単な説明】
【００１１】
本開示のアンビルアセンブリの様々な実施形態が、図面を参照して、本明細書に開示されている。
【００１２】
【図１】図１は、本開示に従ったアンビルアセンブリの一実施形態を含む外科ステープル留めデバイスの斜視側面図である。
【００１３】
【図２】図２は、図１に示されている詳細の指示領域の拡大図である。
【００１４】
【図３】図３は、図２に示されている線３−３に沿ってとられた断面側面図であり、装填ユニットに対して接近させられたアンビルアセンブリを示している。
【００１５】
【図４】図４は、部品が分離した状態の、図１に示されているアンビルアセンブリの斜視側面図である。
【００１６】
【図５】図５は、図４に示されているアンビルアセンブリのバックアップ部材の斜視側面図である。
【００１７】
【図６】図６は、図４に示されているアンビルアセンブリの斜視側面図である。
【００１８】
【図７】図７は、図６に示されている詳細の指示領域の拡大図である。
【００１９】
【図８】図８は、図７に示されている線８−８に沿ってとられた断面斜視図である。
【００２０】
【図９】図９は、図７に示されている線９−９に沿ってとられた断面側面図である。
【００２１】
【図１０】図１０は、組織切断ストローク中の、図２に示されている線３−３に沿ってとられた断面側面図である。
【００２２】
【図１１】図１１は、図１に示されている外科ステープル留めデバイスの発射後の、図４に示されているアンビルアセンブリのヘッドアセンブリの斜視平面図である。
【００２３】
【図１２】図１２は、ヘッドアセンブリが傾いた後の、図７に示されている線８−８に沿ってとられた断面斜視図である。
【００２４】
【図１３】図１３は、ヘッドアセンブリが傾いた後の、図７に示されている線９−９に沿ってとられた断面側面図である。
【００２５】
【図１４】図１４は、本開示に従ったアンビルアセンブリの別の実施形態の斜視図である。
【００２６】
【図１５】図１５は、切断リングが取り除かれかつバックアップ部材が近位位置にある状態の、図１４に示されているアンビルアセンブリのヘッドアセンブリの拡大斜視図である。
【００２７】
【図１６】図１６は、図１５に示されている詳細の指示領域の拡大図である。
【００２８】
【図１７】図１７は、バックアップ部材が遠位位置にある状態の、図１４に示されているアンビルアセンブリのヘッドアセンブリの拡大斜視図である。
【００２９】
【図１８】図１８は、傾いた位置にヘッドアセンブリがありかつバックアップ部材および切断リングが取り除かれた状態の、図１４に示されているアンビルアセンブリの斜視側面図である。
【発明を実施するための形態】
【００３０】
ここで、本開示のアンビルアセンブリの実施形態が、図面を参照して、詳細に記載され、図面において、同様の参照数字は、いくつかの図の各々において同一の要素または対応する要素を示す。当該技術分野において一般的であるように、用語「近位」は、ユーザまたは操作者（すなわち、外科医または臨床医）により近い部分または構成要素を指す一方で、用語「遠位」は、ユーザから遠く離れた部分または構成要素を指す。
【００３１】
最初に図１〜図３を参照すると、本開示の一実施形態に従った、概してアンビルアセンブリ１００として示されているアンビルアセンブリが、外科ステープル留めデバイス１０に固定されている。外科ステープル留めデバイス１０は、電動ハンドル２０と、アダプタアセンブリ３０と、拡張アセンブリ４０と、装填ユニット５０とを含む。アンビルアセンブリ１００および外科ステープル留めデバイス１０を参照して示され記載されているが、本開示の局面は、代替的な構成を有するアンビルアセンブリと共に、様々な構成を有する手動外科ステープル留めデバイスと共に、および、代替的な構成を有する電動外科ステープル留めデバイスと共に使用するために改変され得る。例示的な外科ステープル留めデバイスの詳細な説明については、共有の米国特許第９，０２３，０１４号（「‘０１４特許」）および米国特許出願公開第２０１２／０２５３３２９号（「‘３２９出願」）を参照のこと。これらの内容は、参照により、それらの全体が本明細書に援用される。
【００３２】
図２〜図４を参照すると、簡単に言うと、アンビルアセンブリ１００は、中央ロッドアセンブリ１１４に枢動的に固定されているヘッドアセンブリ１１２を含む。ヘッドアセンブリ１１２は、ハウジング１２０と、ポスト１３０と、バックアップ部材１４０と、切断リング１５０とを含む。中央ロッドアセンブリ１１４は、中央ロッド１６０および付勢機構１７０（図３）を含み、付勢機構１７０は、中央ロッド１６０の遠位孔１６１（図３）内に動作可能に受け取られる。付勢機構１７０は、中央ロッド１６０に対するヘッドアセンブリ１１２の、少なくとも動作位置（図６）と傾いた位置（図１１）との間の移動を容易にする。付勢機構１７０は、プランジャ部材１７２（図３）と、付勢部材（例えば、圧縮バネ１７４）（図３）とを含む。例示的な中央ロッドアセンブリ１１４の詳細な説明については、‘１３２特許を参照のこと。この内容は、参照により、本明細書に以前に援用された。
【００３３】
続けて図３および図４を参照すると、アンビルアセンブリ１００のヘッドアセンブリ１１２のハウジング１２０は、ハウジング１２０の近位接面１２２上にある複数のステープル形成ポケット１２１を規定する。代替的には、ヘッドアセンブリ１１２は、アンビルプレート（示されていない）を含み得、複数のステープル形成ポケット（示されていない）を規定し、ハウジング１２０の近位接面１２２上で支持される。ハウジング１２０は、バックアップ部材１４０と切断リング１５０とを動作可能に受け取るために、内壁１２４とポスト１３０との間に凹部１２３をさらに規定する。さらに詳細に後述されるように、ハウジング１２０の内壁１２４は、切断リング１５０の複数のタブ１５６を受け取るための環状グルーブ１２５を規定する。
【００３４】
示されているように、ヘッドアセンブリ１１２のポスト１３０は、ハウジング１２０とモノリシックに形成されており、ハウジング１２０内において中央に位置付けられている。代替的には、ハウジング１２０およびポスト１３０は、別個に形成されており、既知の締結技術（例えば、接着、溶接、摩擦フィットなど）を使用して一緒に締結されている。ポスト１３０は、実質的に円柱状の本体１３２を含み、本体１３２は、突起部１３４を有し、対向切欠き部１３３と、近位環状グルーブ１３５ａと、遠位環状グルーブ１３５ｂとを規定する。ポスト１３０の突起部１３４は、貫通孔１３１を規定し、中央ロッドアセンブリ１１４の中央ロッド１６０に動作可能に係合するように構成されている。より具体的には、ポスト１３０の突起部１３４は、中央ロッドアセンブリ１１４の中央ロッド１６０の拡張部１６２間で受け取られ、貫通孔１３１を通って受け取られる枢動ピンによって中央ロッド１６０に枢動的に固定される。
【００３５】
さらに図５を参照すると、ヘッドアセンブリ１１２のバックアップ部材１４０は、環状本体１４２と、環状本体１４２から延在する環状フランジ１４４とを含む。バックアップ部材１４０は、環状本体１４２と環状フランジ１４４との間に配された環状グルーブ１４１と、環状本体１４２および環状フランジ１４４を通って延在する中央開口部１４３とを規定する。バックアップ部材１４０は、ポスト１３０周りで、ヘッドアセンブリ１１２のハウジング１２０の凹部１２３内に動作可能に受け取り可能である。バックアップ部材１４０は、中央開口部１４３内に延在する対向突出部１４６を含み、対向突出部１４６は、バックアップ部材１４０がハウジング１２０の凹部１２３内に受け取られるとき、ポスト１３０の対向切欠き部１３３内に受け取り可能である。さらに詳細に後述されるように、バックアップ部材１４０が近位位置（図３）にあるとき、対向突出部１４６は、中央ロッドアセンブリ１１４の中央ロッド１６０の拡張部１６２上に形成されたタブ１６２ａに係合し、それにより、ヘッドアセンブリ１１２を動作位置（図３）に維持する。
【００３６】
依然として特に図５を参照すると、バックアップ部材１４０は、バックアップ部材１４０がポスト１３０周りでハウジング１２０の凹部１２１内に受け取られるときにポスト１３０に摩擦係合する対向係止特徴部１４８をさらに含む。より具体的には、対向係止特徴部１４８の各々は、ポスト１３０の近位環状グルーブ１３５ａおよび遠位環状グルーブ１３５ｂ内に選択的に受け取り可能な隆起部１４８ａを含む弾性部材を形成する。バックアップ部材１４０の対向係止特徴部１４８の隆起部１４８ａがポスト１３０の近位環状グルーブ１３５ａ内に受け取られているとき、対向係止特徴部１４８は、バックアップ部材１４０を近位位置（図３）に維持するように動作する。２つの係止特徴部１４８を含めて示されているが、バックアップ部材１４０が３つ以上の係止特徴部１４８を含み得ることが想定される。
【００３７】
所定の力がバックアップ部材１４０に遠位方向に適用されるとき、バックアップ部材１４０の対向係止特徴部１４８は、バックアップ部材１４０が遠位方向に移動すると半径方向外向きに撓むように構成されている。対向係止特徴部１４８の隆起部１４８ａの半径方向外向きの撓みは、隆起部１４８ａを近位環状グルーブ１３５ａ内から後退させ、それにより、バックアップ部材１４０の継続する遠位移動を可能にする。ポスト１３０の遠位環状グルーブ１３５ｂは、バックアップ部材１４０が遠位位置（図１３）へ移動させられるときに、対向係止特徴部１４８の隆起部１４８ａが、対向係止特徴部１４８の弾性的な性質のおかげで、遠位環状グルーブ１３５ｂに対して整列し、その後に遠位環状グルーブ１３５ｂ内に受け取られるように、位置付けられる。
【００３８】
続けて図３および図４を参照すると、アンビルアセンブリ１００のヘッドアセンブリ１１２の切断リング１５０は、環状本体１５２を含み、環状グルーブ１５１と中央開口部１５３とを規定する。切断リング１５０は、バックアップ部材１４０の環状フランジ１４４周りで固定され、内向きに延在する縁部１５４を含み、縁部１５４は、切断リング１５０をバックアップ部材１４０に固定するために、バックアップ部材１４０の環状グルーブ１４３内に受け取られる。上述したように、複数のタブ１５６は、切断リング１５０の環状本体１５２から外向きに延在する。複数のタブ１５６は、切断リング１５０がハウジング１２０の凹部１２３内に受け取られると、ハウジング１２０の内壁１２４に形成される環状グルーブ１２５内に受け取られる。複数のタブ１５６は、バックアップ部材１４０と切断リング１５０とをヘッドアセンブリ１１２のハウジング１２０内に維持する。
【００３９】
切断リング１５０は、バックアップ部材１４０の環状フランジ１４４周りに切断リング１５０を設置してバックアップ部材１４０の環状グルーブ１４３内に切断リング１５０の縁部１５４を受け取ることによってバックアップ部材１４０に固定される独立構成要素として形成されるものとして示されて記載されているが、バックアップ部材１４０および切断リング１５０が、一体的に形成され得るか、または、一片構造あるいはモノリシック構造として形成され得ることが想定される。
【００４０】
ここで、図６〜図９を参照すると、アンビルアセンブリ１００は、ヘッドアセンブリ１１２が動作位置にある状態で示されている。動作位置において、バックアップ部材１４０および切断リング１５０は、近位位置にある。バックアップ部材１４０および切断リング１５０が近位位置にあるとき、バックアップ部材１４０の対向係止特徴部１４８の隆起部１４８ａは、ポスト１３０の近位環状グルーブ１３５ａ内に受け取られ、それにより、バックアップ部材１４０および切断リング１５０を近位位置に維持する。加えて、切断リング１５０の複数のタブ１５６（図８）は、ハウジング１２０の内側表面１２４に形成されている環状グルーブ１２５内に受け取られ、それにより、バックアップ部材１４０および切断リング１５０をハウジング１２０の凹部１２３内に維持する。
【００４１】
上述したように、アンビルアセンブリ１００のヘッドアセンブリ１１２は、バックアップ部材１４０が近位位置にあるとき、バックアップ部材１４０によって動作位置に維持される。具体的には、バックアップ部材１４０の対向突出部１４６は、中央ロッドアセンブリ１１４の中央ロッド１６０の拡張部１６２から延在するタブ１６２ａに係合し、それにより、ヘッドアセンブリ１１２が中央ロッド１６０に対して傾いた位置（図１１）へ枢動することを妨げる。
【００４２】
ここで、図１０を参照すると、外科ステープル留めデバイス１０の作動中、２つのストロークステープル留めデバイスにおける組織のステープル留めの後に、または、単一のストロークデバイスにおける組織のステープル留めと同時に、装填ユニット５０のナイフ５２が前進してアンビルアセンブリ１００のヘッドアセンブリ１１２の切断リング１５０と接触する。切断リング１５０はバックアップ部材１４０に固定されているので、切断リング１５０に適用される力は、バックアップ部材１４０に伝わる。上述したように、所定の力がバックアップ部材１４０に適用されると、バックアップ部材１４０の対向係止特徴部１４８は、対向係止特徴部１４８の隆起部１４８ａをポスト１３０の近位環状グルーブ１３５ａ内から後退させるように半径方向外向きに撓み、それにより、バックアップ部材１４０がポスト１３０に対して移動することを可能にする。
【００４３】
ここで、図１１〜図１３を参照すると、アンビルアセンブリ１００は、バックアップ部材１４０および切断リング１５０が遠位位置にある状態で示されている。バックアップ部材１４０が遠位位置に移動すると、バックアップ部材１４０の対向突出部１４６は、中央ロッドアセンブリ１１４の中央ロッド１６０の拡張部１６２上に形成されているタブ１６２ａから離れ、それにより、ヘッドアセンブリ１１２が中央ロッドアセンブリ１１４に対して枢動することを可能にする。上述したように、バックアップ部材１４０が遠位位置にあるとき、対向係止特徴部１４８の隆起部１４８ａは、ポスト１３０の遠位環状グルーブ１３５ｂに対して整列し、遠位環状グルーブ１３５ｂ内に受け取られ、それにより、バックアップ部材１４０を遠位位置に係止する。
【００４４】
アンビルアセンブリ１００は、外科ステープル留めデバイス１０の発射時、発射時にはヘッドアセンブリ１１２は接近位置にある（すなわち、ヘッドアセンブリ１１２は外科ステープル留めデバイス１０の装填ユニット５０（図１０）に対して近接して整列している）ので、傾いた位置へ即座に傾かないまたは枢動しないことに留意されたい。したがって、アンビルアセンブリ１００は、ヘッドアセンブリ１１２が装填ユニット５０から離れる方へ移動するまで、傾くことを妨げられる。
【００４５】
図１４〜図１８を参照すると、本開示に従ったアンビルアセンブリの別の実施形態が、概してアンビルアセンブリ２００として示されている。アンビルアセンブリ２００は、本明細書において上述されたアンビルアセンブリ１００に実質的に類似しており、それらの間の差異に関連するもののみ詳細に説明される。
【００４６】
アンビルアセンブリ２００は、ヘッドアセンブリ２１２と中央ロッドアセンブリ２１４とを含む。ヘッドアセンブリ２１２は、ハウジング２２０と、ポスト２３０と、バックアップ部材２４０と、切断リング２５０とを含む。中央ロッドアセンブリは、中央ロッド２６０と、付勢部材２７０（図１８）とを含む。ハウジング２２０は、ハウジング１２０に実質的に類似しており、本明細書においてこれ以上説明されない。
【００４７】
ヘッドアセンブリ２１２のポスト２３０は、ハウジング２２０内において中央に配されており、実質的に円柱状の本体２３２を含む。突起部２３４が、円柱状の本体２３２から近位方向に延在し、中央ロッド２６０の拡張部２６２に枢動的に固定される。ポスト２３０の円柱状の本体２３２は、対向切欠き部２３３を規定する。さらに詳細に後述されるように、対向切欠き部２３３は、遠位位置（図１７）にバックアップ部材２４０を固定することを容易にする。
【００４８】
バックアップ部材２４０は、実質的に平坦な本体２４２と、平坦な本体２４２から近位方向に延在する環状フランジ２４４とを含む。環状フランジ２４４は、ポスト２３０周りで受け取り可能であり、環状フランジ２４４の近位端部上に形成された対向戻り止め２４６を含む。対向戻り止め２４６は、外科ステープラ１０（図１）の作動前には近位位置に、外科ステープラ１０の作動後には遠位位置に、バックアップ部材２４０を維持するように動作する。対向戻り止め２４６は、バックアップ部材が近位位置にあるときにヘッドアセンブリ２１２を動作位置に維持するようにさらに動作する。２つの戻り止め２４６を含めて示されているが、バックアップ部材２４０は３つ以上の戻り止め２４６を含み得ることが想定される。
【００４９】
バックアップ部材２４０は、切断リング２５０をバックアップ部材２４０に固定するための複数のタン（ｔａｎｇ）２４８を含む。複数のタン２４８を含めて示されているが、切断リング２５０は任意の適した手段でバックアップ部材２４０に固定され得ることが想定される。切断リング２５０は、本明細書において上述された切断リング１５０に実質的に類似しており、本明細書においてさらに詳細には説明されない。
【００５０】
図１４〜図１６を参照すると、バックアップ部材２４０が近位位置にあるとき、対向する戻り止め２４６の遠位部分２４６ｂが、ポスト２３０の円柱状の本体２３２の上面２３２ａ（図１６）に係合し、それにより、バックアップ部材２４０を近位位置に維持する。バックアップ部材２４０が近位位置にあるとき、対向する戻り止め２４６は、中央ロッドアセンブリ２１４の中央ロッド２６０の拡張部２６２上に形成されたタブ２６２ａに対して整列させられ、それにより、ヘッドアセンブリ２１２を動作位置に維持する。
【００５１】
所定の力が、外科ステープラ１０の作動中、例えばナイフ５２（図１０）によって、バックアップ部材２４０に適用されるとき、バックアップ部材２４０がポスト２３０の円柱状の本体２３２周りで遠位方向に移動すると、対向する戻り止め２４６は、半径方向外向きに撓み、それにより、遠位位置へのバックアップ部材２４０の移動を可能にする。ポスト２３０は、戻り止め２４６を受け取って近位位置から遠位位置へのバックアップ部材２４０の遠位移動を容易にするための長手方向スロット（示されていない）を含み得る。
【００５２】
バックアップ部材２４０が遠位位置にあるとき、バックアップ部材２４０の対向する戻り止め２４６は、ポスト２３０の対向切欠き部２３３内に受け取られ、それにより、バックアップ部材２４０を遠位位置に固定する。より具体的には、戻り止め２４６がポスト２３０の切欠き部２３３内に受け取られると、対向する戻り止め２４６の近位表面２４６ａが、ポスト２３０の円柱状の本体２３２に係合し、それにより、バックアップ部材２４０を遠位位置に固定する。
【００５３】
当業者は、本明細書に具体的に記載されて添付図面に具体的に図示されているデバイスおよび方法は非限定的な例示的な実施形態であることを理解する。１つの例示的な実施形態に関して図示または記載された要素及び特徴が、本開示の範囲から逸脱することなく別の要素および特徴と結合され得ることが想定される。さらに、当業者は、上述した実施形態に基づいて本開示の更なる特徴および利点を認識する。従って、本開示は、添付の特許請求の範囲によって指し示されたものを除いて、具体的に示され記載されたことによって限定されない。
【図１】
0006710594.tif 000002
【図２】
0006710594.tif 000003
【図３】
0006710594.tif 000004
【図４】
0006710594.tif 000005
【図５】
0006710594.tif 000006
【図６】
0006710594.tif 000007
【図７】
0006710594.tif 000008
【図８】
0006710594.tif 000009
【図９】
0006710594.tif 000010
【図１０】
0006710594.tif 000011
【図１１】
0006710594.tif 000012
【図１２】
0006710594.tif 000013
【図１３】
0006710594.tif 000014
【図１４】
0006710594.tif 000015
【図１５】
0006710594.tif 000016
【図１６】
0006710594.tif 000017
【図１７】
0006710594.tif 000018
【図１８】
0006710594.tif 000019